(57)【要約】【課題】発泡樹脂製の紐体を多数の不定形の皺を形成した和紙で被覆した和紙被覆発泡樹脂紐の製造方法を提供する。【解決手段】泥漿状態の和紙原料４を、柔軟性を有する合成樹脂ネット８の上に広げて水切りをする紙漉き工程と、漉いた湿紙５を前記合成樹脂ネット８に載せたまま、吸水布９の上の載せて該吸水布９の吸水力によって脱水を行う脱水工程と、前記合成樹脂ネット８上の脱水した湿紙６の上に発泡樹脂製の紐体２を載せ、該紐体２を捩じりつつ、該紐体２に前に巻着した湿紙７による被覆部分の端縁部７ａに次の湿紙６の端縁部６ａを重ね合わせて連続して前記紐体２に湿紙６を巻着して前記紐体２全体を被覆する和紙被覆工程と、前記紐体２を被覆した湿紙７を乾燥させて和紙３に不定形な皺３ａを形成する乾燥工程と、から成ることを特徴とする。【選択図】  図６
2014110207.tif 000002
【特許請求の範囲】
【請求項１】
光透過性、光拡散性及び可撓性を備えた発泡樹脂製の紐体を、該紐体を捩じりつつ巻着した湿紙を乾燥させることにより不定形な皺を形成した和紙で被覆したことを特徴とする紙被覆発泡樹脂紐。
【請求項２】
紐体に高発泡ポリエチレン製の紐体を用いたことを特徴とする請求項１に記載の和紙被覆発泡樹脂紐。
【請求項３】
請求項１又は２に記載の紙被覆発泡樹脂紐の製造方法であって、
泥漿状態の和紙原料を、柔軟性を有する合成樹脂ネットの上に広げて水切りをする紙漉き工程と、
漉いた湿紙を前記合成樹脂ネットに載せたまま、吸水布の上の載せて該吸水布の吸水力によって脱水を行う脱水工程と、
前記合成樹脂ネット上の脱水した湿紙の上に発泡樹脂製の紐体を載せ、該紐体を捩じりつつ、該紐体に前に巻着した湿紙の端縁部に次の湿紙の端縁部を重ね合わせて連続して前記紐体に湿紙を巻着して前記紐体全体を被覆する和紙被覆工程と、
前記紐体を被覆した湿紙を乾燥させて和紙に不定形な皺を形成する乾燥工程と、
から成ることを特徴とする和紙被覆発泡樹脂紐の製造方法。
【請求項４】
請求項１又は２に記載の和紙被覆発泡樹脂紐を用いた立体装飾物の製作方法であって、
和紙被覆発泡樹脂紐の和紙に水を含ませる含水工程と、
該和紙被覆発泡樹脂紐を所望の立体形状の芯材に巻くように掛け止める造形工程と、
水を含んだ和紙を乾燥させる乾燥工程と、
前記芯材を取り除いて立体装飾物を得る芯材除去工程と、
から成ることを特徴とする和紙被覆発泡樹脂紐を用いた立体装飾物の製作方法。
【発明の詳細な説明】
【技術分野】
【０００１】
本発明は、発泡樹脂製の紐体を和紙で被覆した紐とその紐の製作方法及びその紐を用いた立体装飾物の製作方法に関するものである。
【背景技術】
【０００２】
本発明者は和紙で立体的な造形物を製作しようと目論み、当初は石膏などの型の表面に和紙を張ることで乾燥後に立体的な造形物を得ることができたが、更に、より斬新なデザインを得ようと立体造形的な型に和紙を紐状に巻き付けて立体的な装飾物を得ようしたが、いずれも魅力に欠けるものであった。
一方、紙を巻いた紐に関しては、下記特許文献１の如く、和紙等の紙で樹脂等の可撓性線材を包んだ紐状の「結束具」が提案されており、その中に、該結束具は装飾手芸用品にも使用できることが記載されている。
又、下記特許文献２の「紙形成体の製造方法」が提案され、その中に、ゴム風船や石膏などの容易に破壊可能な素材からなる立体的な原型を用い、その原型の表面に毛羽立った紐状部材を交差させて巻きつけてその上に紙料液を付着させ、これを乾燥させた後、原型部分を破壊して取り出すことで、内部が空洞な和紙形成体を得ることが開示されている。
【先行技術文献】
【特許文献】
【０００３】
【特許文献１】実用新案登録第３０５５５５４号公報
【特許文献２】特開平５−１５６５９４号公報
【発明の概要】
【発明が解決しようとする課題】
【０００４】
上記特許文献１の「結束具」では、強度が和紙の中の金属やプラスチック等の可撓性線材で決まり、結束するための結び目を作るため自由に折り曲げ可能としているので、袋の口等を結束するのには適しているが、全体的に細く柔軟なので、装飾手芸用品に使用した場合、大きな立体的な造形物に形成しようとすると、形崩れが起こり易く、そのままでは元の形状を維持させるのが困難となる。このため、別に接着剤や線材等の固定するための手段を使用して補強しなければならないという難点がある。
又、上記特許文献２の「紙形成体の製造方法」では、和紙原料にネリ状の結合材を多めに加えたとしても和紙の素材のみでは内部が空洞な和紙形成体の強度は小さく、小さな衝撃でもその部分に凹みが発生するなど形が容易に変形してしまうという難点がある。そして、一旦作られた前記和紙形成体から再度紐状部材を取り外して別に和紙形成体の製作に再利用しようとする場合、紐状部材はネリで絡まり付いているため、外そうとすると途中で短く切れたり、又絡まった塊り状となってしまうため使い物にはならない。
【０００５】
そこで、本発明は、発泡樹脂製の紐体の光の透過性及び拡散性と柔軟に変形可能な可撓性と合成樹脂の強度を生かし、これに光透過性のある和紙を被覆することで紐特有の形状が自由に変形できる機能を生かした多様な立体的造形物が、何度も作り直しすることが可能となり、又光を透かすと素材独特の淡い光を得られ且つ柔らかく暖かい素材感を持つ和紙を被覆した発泡樹脂製の紐を提供することを目的とする。
【課題を解決するための手段】
【０００６】
上記課題を解決するために、本発明の請求項１に記載の和紙被覆発泡樹脂紐は、光透過性、光拡散性及び可撓性を備えた発泡樹脂製の紐体を、該紐体を捩じりつつ巻着した湿紙を乾燥させることにより不定形な皺を形成した和紙で被覆したことを特徴とする。
【０００７】
請求項２に記載の発明は、上記発明において、前記紐体に高発泡ポリエチレン製の紐体を用いたことを特徴とする。
【０００８】
請求項３に記載の発明は、上記請求項１又は２に記載の紙被覆発泡樹脂紐の製造方法であって、泥漿状態の和紙原料を、柔軟性を有する合成樹脂ネットの上に広げて水切りをする紙漉き工程と、漉いた湿紙を前記合成樹脂ネットに載せたまま、吸水布の上の載せて該吸水布の吸水力によって脱水を行う脱水工程と、前記合成樹脂ネット上の脱水した湿紙の上に発泡樹脂製の紐体を載せ、該紐体を捩じりつつ、該紐体に前に巻着した湿紙の端縁部に次の湿紙の端縁部を重ね合わせて連続して前記紐体に湿紙を巻着して前記紐体全体を被覆する和紙被覆工程と、前記紐体を被覆した湿紙を乾燥させて和紙に不定形な皺を形成する乾燥工程と、から成ることを特徴とする。
【０００９】
請求項４に記載の発明は、上記請求項１又は２に記載の和紙被覆発泡樹脂紐を用いた立体装飾物の製作方法であって、和紙被覆発泡樹脂紐の和紙に水を含ませる含水工程と、該和紙被覆発泡樹脂紐を所望の立体形状の芯材に巻くように掛け止める造形工程と、水を含んだ和紙を乾燥させる乾燥工程と、前記芯材を取り除いて立体装飾物を得る芯材除去工程と、から成ることを特徴とする。
【発明の効果】
【００１０】
本発明の和紙被覆発泡樹脂紐は、発泡樹脂製の紐体の表面に被覆した和紙に形成された不定形の皺によって、該和紙に水を含ませた際に、その皺の凹凸が浅くなり、同時に和紙は強度を失って柔らかくなる。そして、この和紙被覆発泡樹脂紐を曲げたとき、湾曲した外弧側の皺が伸びて浅くなり、内弧側の皺は縮んで深くなることで該和紙被覆発泡樹脂紐が自由に屈曲して変形させることが可能となる。
和紙は乾燥状態では和紙の強度でその形状が保持されるが、和紙を濡らしたときは形状記憶性が低下し、和紙被覆発泡樹脂紐を自由な立体的な形状に製作することが可能となる。  そしてそのまま乾燥させると和紙の強度により、その自由に変形させて創作した立体装飾物の形状を保持可能となる。
その製作された立体装飾物は外観が和紙素材独特の柔らかく暖かい感触を有し、一方側に光を当てると発泡樹脂素材の光透過性及び光拡散性により光は霞んで柔らかくなり、これに表面の和紙の皺の趣が加わると、独特の変化に富んだ柔らかい光となって周囲を照らすことが可能となる。
【００１１】
請求項２に記載の発明にあっては、発泡樹脂製の紐体に高発泡ポリエチレン製の紐体を使用することによって、濡らした和紙被覆発泡樹脂紐が柔軟に変形可能となり、又、その変形させた形状を維持するための強度が得られる。
そして、前記高発泡ポリエチレン製の紐体は柔軟性があり且つ引っ張り強度も大きく、大きく屈曲させても断裂が起こらず、該紐体に対して和紙を被覆することで、和紙の強度が加わり、これによって、紐体特有の柔軟な形状を生かした多様な立体装飾物が製作可能となる。
又、和紙被覆発泡樹脂紐の発泡樹脂製を構成する紐体及び皺のある和紙は、いずれも光の素材の中に拡散させて強い直射光を緩和しつつ素材中に光を通過させることができ、光源を前記立体装飾物で覆うことで、周囲に柔らかい光を放つ趣のある照明具としての利用が可能となる。
【００１２】
請求項３に記載の発明にあっては、合成樹脂ネット上に載せたままで濡れた湿紙の端部を重ね張りして発泡樹脂製の紐体の全表面を被覆することができる。
この際、前記紐体を捩じりつつ、該紐体に前に巻着した湿紙による被覆部分の端縁部に次の湿紙の端縁部を重ね合わせて次々に連続して前記紐体に湿紙を巻着することで、乾燥後前記紐体全体を被覆した和紙に不定形の皺を形成した和紙被覆発泡樹脂紐が得られる。
【００１３】
請求項４に記載の発明にあっては、和紙被覆発泡樹脂紐は和紙部分を濡らすことで和紙は柔らかくなる。そして、この和紙被覆発泡樹脂紐を曲げたとき、湾曲した外弧側の皺が伸びて浅くなり、内弧側の皺は縮んで深くなることで該和紙被覆発泡樹脂紐を皺が伸び切るまで大きく変形させることが可能となる。
このため、屈曲変化の大きい立体装飾物であっても容易に製作でき、その際、立体形状の芯材に巻くように掛け止めることで容易に立体装飾物を製作することが可能となる。
又、例えば、内部に空洞を設けた立体装飾物の中に電灯を入れれば照明器具として使用でき、その中の電灯を発光させると、前記立体装飾物が皺のある和紙の繊維独特の自然繊維質が凹凸となって光のグラデーションを表現しつつ、全体に上品で穏やかな独特な雰囲気を醸し出すことが可能となる。
そして、一旦製作した立体装飾物でも、和紙を再度濡らせば立体装飾物の形が崩れ、これを伸ばせば再度の和紙被覆発泡樹脂紐を得ることが可能となる。こうして再生された和紙被覆発泡樹脂紐は、再度濡らすことで、和紙被覆発泡樹脂紐を自由に変形させて新たな立体装飾物を製作することが可能となる。
【図面の簡単な説明】
【００１４】
【図１】本発明の和紙被覆発泡樹脂紐の端部の和紙の一部を切除した状態を示す斜視図である。
【図２】（イ）は和紙原料の泥漿を合成樹脂ネットに載せた状態の製作工程を示す斜視図、（ロ）は和紙原料の泥漿を合成樹脂ネットに載せて更に布に載せた状態の製作工程を示す平面図である。
【図３】（イ）は合成樹脂ネットごと湿紙を紐体に巻き付けている状態の製作工程を示し、（ロ）は更に湿紙を紐体に重ねて巻いた状態の製作工程を示す各斜視図である。
【図４】紐体に湿紙を巻き付けた直後の状態の製作工程を示す斜視図である。
【図５】（イ）は立体形状の芯材を示し、（ロ）は該芯材に和紙被覆発泡樹脂紐を巻いた状態の製作工程を示し、（ハ）は巻いた和紙被覆発泡樹脂紐から該芯材を取り除いた状態の製作工程を示す各正面図である。
【図６】和紙被覆発泡樹脂紐の製作工程のフロー図である。
【図７】和紙被覆発泡樹脂紐を用いた立体装飾物の製作工程を示すフロー図である。
【発明を実施するための形態】
【００１５】
本発明は和紙被覆発泡樹脂紐と、その和紙被覆発泡樹脂紐を製作する方法と、その和紙被覆発泡樹脂紐を用いて立体装飾物を製作する方法に関するものであり、それらの実施形態を以下図で説明する。
【００１６】
先ず、和紙被覆発泡樹脂紐について説明する。
該和紙被覆発泡樹脂紐１は、図１に示すように、発泡樹脂製の紐体２の全表面２ａを、不定形の多数の皺３ａを形成した和紙３で被覆したものである。
この和紙３の皺３ａのない平坦な部分では発泡樹脂製の紐体２の表面２ａに和紙に含まれる繋ぎ材で付着し、膨らんだ部分では紐体２の表面２ａから浮き上がっていて発泡樹脂製の紐体２の全表面２ａには付着していない。
【００１７】
前記発泡樹脂製の紐体２は、光透過性、光拡散性及び可撓性を備えた発泡樹脂製の紐体２である。そして、その経は６ｍｍ〜３０ｍｍのものが使用に適している。
使用可能な発泡樹脂は、光透過性、光拡散性及び可撓性を備えた合成樹脂を発泡したものである。本発明ではこれを紐状に形成したものを用いる。
例えば、高発泡ポリエチレン製の紐体を使用すれば、さらに光透過性及び光拡散性を備え、且つその表面２ａは和紙３に対する付着性があり、又、可撓性に優れて引っ張り強度も大きく、湾曲変形が容易であり鋭角に屈曲変形でき、しかも折曲しても容易に復元できて殆ど破損することはないので最適である。
【００１８】
又、使用する和紙は、コウゾ、ミツマタ、ガンピなどの樹皮繊維にトロロアオイ等の糊状の繋ぎ材を加えた古来の和紙原料４を使用する。
そして、発泡樹脂製の紐体２を被覆した和紙３に形成される不定形の皺３ａは、次に述べる製作方法で形成する。
【００１９】
そこで次に、前記和紙３に皺３ａを形成した和紙被覆発泡樹脂紐１の製作方法を説明する。
該和紙被覆発泡樹脂紐は、図６に示すように、紙漉き工程、脱水工程、和紙被覆工程、及び乾燥工程の順に行われて製作される。
【００２０】
前記紙漉き工程は、泥漿状態の和紙原料４を、柔軟性を有する合成樹脂ネット８の上に広げて水切りをする。
該合成樹脂ネット８は、柔軟性を備えた合成樹脂製のネットであり、例えば、０．２ｍｍの塩化ビニール製の線材を１．４ｍｍピッチで桝目に編んだネットを使用することができる。又、一般住宅の窓用の虫除け網戸に使用されている合成樹脂ネットと同等のネットの使用も可能である。
又、前記和紙原料４は、コウゾ、ミツマタ、ガンピなどの和紙原料となる樹皮とトロロアオイの根から得た粘液等の繋ぎ材とを混合して水に混ぜて得た泥漿状態の一般的な日本古来の和紙原料４を使用する。
この工程では、図２の（イ）に示すように、泥漿状態の和紙原料４を、容器１０で汲み上げ前記合成樹脂ネット８の上に厚さ０．５〜２ｍｍ程度となるように広げて自然の水切りを行う。
このとき、泥漿に着色材を混合しておけば、この工程で単色又は複数の色に着色した和紙原料４が得られ、カラフルな和紙被覆発泡樹脂紐１を得ることもできる。
【００２１】
次に前記脱水工程は、前記和紙原料４を漉いた湿紙５を合成樹脂ネット８に載せたまま、吸水布９の上の載せて該吸水布９の吸水力によって脱水を行う。
本発明で使用する湿紙（「しとがみ」と読む）とは、漉き上げ後の濡れた紙のことである。
前記吸水布９は、吸水性を備えた布であり、木綿や合成樹脂製の布が使用できる。例えばレーヨン繊維８０％ポリエステル繊維２０％を混合した布等が使用に適している。
この工程では、図２の（ロ）に示すように、漉いた湿紙５を合成樹脂ネット８に載せたまま、その下に吸水布９を敷いて該吸水布９の吸水性によって合成樹脂ネット８の網目から含まれる水が滴り落ちないように脱水する。この段階では前記湿紙の濡れた状態が保持されようにする。
【００２２】
次に前記和紙被覆工程は、図３の（ハ）に示すように、先ず合成樹脂ネット８上の前記脱水し濡れた湿紙６の上に発泡樹脂製の紐体２を載せて、前記湿紙６の端縁部６ａから前記発泡樹脂製の紐体２に前記湿紙６を転がし巻き取るように被覆し、使用した前記合成樹脂ネット８は取り除く。
例えば、前記発泡樹脂製の紐体２は、引っ張り強度、自由な湾曲性及び光透過性を考慮するとその径は５ｍｍ〜３０ｍｍ程度の径が好ましく、最適なものとしては、１５ｍｍで長さが５ｍの高発泡ポリエチレン製の白い紐体２を使用する。
この高発泡ポリエチレン製の発泡樹脂製の紐体２は、発泡した微細な気泡によって穏やかな光透過性と光拡散性が得られて白くなり、更に、全体が柔らかくなって可撓性が生じ自由に変形可能となる。
【００２３】
前記湿紙６を前記紐体２巻着する際に、長い紐体２の少なくとも一方を押えて、合成樹脂ネット８に載った湿紙６上を転がすように回転させると紐体２に捩じれが生じる。
捩じれた紐体２に表面２ａに湿紙６が巻き取られる手を離と、捩じれが復元されて、湿紙６がその表面２ａに引かれて捩じれ皺が発生する。
このように紐体２を捩じりつつ、図３の（ニ）に示すように、先に巻着された湿紙７の端縁部７ａに次に巻く湿紙６の端縁部６ａを重ね合わせて次々に連続して前記紐体２に湿紙６を巻着することで、前記紐体２の全体を被覆して行く。
この結果、該紐体２の捩じれと復元を何度も繰り返すことで湿紙６に皺の跡が数多く残される。
【００２４】
前記湿紙６は重ね張りすることでその重ね継ぎ部分では多少の厚さムラはあるが、継ぎ目は殆ど見えなくなり、図４の（ホ）に示すように、前記紐体２の全表面は均一的に被覆される。
この段階では、まだ皺は明確には現れない。
【００２５】
次に前記乾燥工程では、前記和紙被覆工程で発泡樹脂製の紐体２の表面２ａ全体に被覆され、濡れていた湿紙６を乾燥させる。
乾燥させた和紙３は、厚さはムラがありながらも略均一性を保持しつつ全体が乾燥することで多数の不定形な皺３ａが形成される。
そして得られた和紙被覆発泡樹脂紐１は、図１に示すように、その不定形の皺３ａの陥没部分が前記和紙３の繋ぎ材の乾燥で前記紐体２の表面２ａの発泡面に平坦状態で付着し、該和紙３の表面に膨らんだ発泡樹脂紐２の表面２ａに付着しないで凸状に浮き上がった状態となる。
この乾燥方法では、放置して自然乾燥させる方法と、強制的に乾燥機で乾燥させる方法とが可能である。
以上の工程で本発明の和紙被覆発泡樹脂紐１が完成する。
【００２６】
次に、この和紙被覆発泡樹脂紐１から立体装飾物を製作する方法を説明する。
該立体装飾物は各種の形状が可能であるが、図５に示す電飾体１７を例に説明する。
【００２７】
先ず、和紙被覆発泡樹脂紐１の和紙１１に霧吹きで水を含ませる。すると水を吸った和紙１１の皺の凹凸が浅くなり、同時に和紙１１は強度を失って柔らかくなる。
そして、この和紙被覆発泡樹脂紐１を曲げたとき、湾曲した外弧側が伸びて皺が浅くなり、内弧側は縮んで皺が深くなることで和紙被覆発泡樹脂紐１を自由に大きく屈曲させて、変形させることが可能となる。
この和紙１１が濡れた状態となった和紙被覆発泡樹脂紐１を、図５の（イ）に示す球状のゴム風船を立体形状の芯材１３として使用し、図５の（ロ）に示すように、この立体形状の芯材１３の表面に自由に所望の形に巻くように掛け止める。
次に、形が決まったら、そのままで和紙１１が乾燥されるのを待つ。
【００２８】
乾燥が進むと、再度前記和紙被覆発泡樹脂紐１は和紙３に多数の元の形状の皺３ａが復元されるように形成されてくる。
そして、乾燥した和紙３には強度が発現し、前記立体形状の周囲に巻いた形状のままの状態で全体の形状が保持される。
和紙３の乾燥が終了した後は、中の前記ゴム風船の芯材１３を、空気抜いて、隙間から引き出して取り除くと丸い立体装飾物１７が得られる。
この立体装飾物１７には、図５の（ハ）に示すように、中に電球１４を入れて電線止め具１６を用いて立体装飾物１７に電線１５を固定すると、電線１５で天井から吊る電飾体１７が完成する。
【００２９】
又、前記立体装飾物１７の形状は、糸、針金、接着材などの別の固定手段を使用せずに、和紙の原料に含まれる繋ぎ材が和紙に水を含ませることで粘性が戻され、和紙同士の接触分でもその繋ぎ材が作用し再度乾燥させたとき、接触した紙同士を付着させ、前記立体装飾物１７の全体の形状を維持させることが可能となる。
また、このように、一旦立体装飾物１７を製作しても、その立体装飾物１７の和紙を水に濡らすことで、原形が崩れ、一本の和紙被覆発泡樹脂紐１に再生させて、これを再度新たな形状に形成することが可能となる。
しかも和紙３に含まれるトロロアオイ等の繋ぎ材は、水を含ませることで毎回粘性が戻されるので、使用した和紙被覆発泡樹脂紐１を何度も繰り返し再生させることが可能となる。
【００３０】
できた電飾体１７は、中の電球１４からの光を外部に透過し、光のグラデーションが表現されて、その光は皺のある和紙素材の独特の柔らかく暖かい感触を有するものとなる。
このように、本発明の立体装飾物１７は観賞用の室内のオブジェとするのに最適であり室内空間に上品で穏やかな雰囲気を醸し出すことが可能となる。
【００３１】
なお、前記和紙被覆発泡樹脂紐１の中に細い針金やプラスチック材を貫装することで強度を高め、変形させた状態を保持させて置くのに有効となる。
【産業上の利用可能性】
【００３２】
本発明の和紙被覆発泡樹脂紐は、立体形状の芯材１３を用いて照明具、置物など多様な立体装飾物１７を製造でき、又、芯材１３は用いずに自由な形の立体的造形物を製造することも可能となる。
【符号の説明】
【００３３】
１    和紙被覆発泡樹脂紐
２    発泡樹脂製の紐体
２ａ  紐体の表面
３    和紙
４    和紙原料
５    漉いた湿紙
６    湿紙
６ａ  湿紙の端縁部
７    巻着した湿紙
７ａ  巻着した湿紙の端縁部
８    合成樹脂ネット
９    吸水布
１０    容器
１１    和紙被覆発泡樹脂紐
１２    和紙被覆発泡樹脂紐
１３    立体形状の芯型
１４    電球
１５    電線
１６    電線止め具
１７    電飾体
【図１】
2014110207.tif 000003
【図２】
2014110207.tif 000004
【図３】
2014110207.tif 000005
【図４】
2014110207.tif 000006
【図５】
2014110207.tif 000007
【図６】
2014110207.tif 000008
【図７】
2014110207.tif 000009